(57)【要約】【課題】従来のシングルビームの受信回路と同等の規模で高いフレームレートの映像を得ることのできる超音波診断装置を提供することを目的とする。【解決手段】  本発明に係る超音波診断装置は、複数の振動子で受信された超音波の信号である超音波信号を複数のメモリにそれぞれ蓄積し、受信ビームの方向に応じて遅延時間を設定し、設定手段により設定された遅延時間に従って複数のメモリから超音波信号を読み出し、それらを加算することにより、受信ビームに応じたデータを生成する。そして、１回の超音波の送受信により複数のメモリに蓄積された超音波信号に対して、第１の方向に応じた遅延時間を設定し、前記第１の方向の受信ビームに応じたデータを生成した後に、さらに第１の方向とは異なる第２の方向に応じた遅延時間を設定し、第２の方向の受信ビームに応じたデータを生成する。【選択図】図１
2010099110.tif 000002
【特許請求の範囲】
【請求項１】
超音波を送信し、物体に反射された前記超音波を受信する複数の振動子と、
前記複数の振動子で受信された超音波の信号である超音波信号をそれぞれ蓄積する複数のメモリと、
受信ビームの方向に応じて遅延時間を設定する設定手段と、
前記設定手段により設定された遅延時間に従って前記複数のメモリから超音波信号を読み出し、それらを加算することにより、前記受信ビームに応じたデータを生成する生成手段と、
を有し、
１回の超音波の送受信により前記複数のメモリに蓄積された超音波信号に対して、
前記設定手段が第１の方向に応じた遅延時間を設定し、前記生成手段が前記第１の方向の受信ビームに応じたデータを生成した後に、さらに前記設定手段が前記第１の方向とは異なる第２の方向に応じた遅延時間を設定し、前記生成手段が前記第２の方向の受信ビームに応じたデータを生成する
ことを特徴とする超音波診断装置。
【請求項２】
前記メモリはＦＩＦＯメモリであり、
前記生成手段は、前記複数のメモリへの超音波信号の蓄積が終了した後に、該複数のメモリから読み出した超音波信号を、前記第１の方向の受信ビームに応じたデータの生成に用いるとともに、前記第２の方向の受信ビームに応じたデータの生成に用いるために、それぞれのメモリへ再度入力する
ことを特徴とする請求項１に記載の超音波診断装置。
【請求項３】
前記メモリはランダムアクセスメモリである
ことを特徴とする請求項１に記載の超音波診断装置。
【請求項４】
前記複数の振動子は、同時に複数の送信ビームを形成するように超音波を送信し、
前記設定手段は、前記複数の送信ビームに対応する複数の受信ビームの方向に応じた遅延時間を設定する
ことを特徴とする請求項１〜３のいずれか１項に記載の超音波診断装置。
【請求項５】
前記設定手段は、前記複数の振動子から送信される超音波によって形成される送信ビームより多くの受信ビームの方向に応じた遅延時間を設定する
ことを特徴とする請求項１〜３のいずれか１項に記載の超音波診断装置。
【発明の詳細な説明】
【技術分野】
【０００１】
本発明は超音波診断装置に関する。
【背景技術】
【０００２】
超音波診断装置は、医療現場に広く普及している。例えば、超音波診断装置は、物体（生体）に超音波を放射（送信）し、反射してくる超音波を受信する。そして、当該反射してきた超音波に基づいて生体内部の画像（超音波画像）を形成する。具体的には、超音波診断装置は、複数の素子（振動子；超音波受信素子）をもった探触子から、人体などに超音波を送信する。そして、探触子から送信された超音波は、生体内部で反射され再び探触子に戻る。超音波診断装置は、戻ってきた超音波（超音波エコー）を受信し処理することで、断面画像（人体内部の画像）を形成し表示する。
【０００３】
送信された超音波によるビームの形成に関して説明する。探触子には複数の超音波送受信素子が直線状、もしくは凸状に整列されている。送信先（目標物；目標位置）を決め、そこに焦点をあわせるために、目標物と各素子間の距離を予め計算する。そして、各素子の超音波（送信パルス）の送信時刻を設定する（各素子から、算出した距離に応じた時間（遅延時間）だけ遅延させて超音波を送信させる）。このように各素子から送信された超音波は、目標物に焦点が合った一本のビームを形成する。これが超音波の送信ビームである。
【０００４】
次に、超音波の受信ビームの形成に関して説明する。上記のように送信された超音波が生体内部にて反射されて各素子に戻ってくるとき、或る点から戻ってくる超音波は、その点から各素子までの距離に応じた時間差（遅延）をもって戻ってくる。超音波診断装置は、各素子が受信した信号（超音波；受信信号）を増幅し、時間（遅延時間；受信信号を読み出すタイミング）を調整した後に加算する。このように各素子の受信信号をその遅延時間を調整して加算することを整相加算と呼ぶ。この遅延時間の調整方法は、上記の送信ビームを形成する際の遅延時間の調整方法と同じように容易に計算できる。さらに、送信と異なり、受信の場合には、送信ビーム上の全ての位置（具体的には、送信された超音波の届く全ての位置；超音波走査領域）で反射された超音波が各素子に戻ってくる。そのため、送信ビーム上の任意の位置が焦点になるように受信信号の遅延時間を調整することで、様々な焦点の受信ビームを形成することが可能となる。一般に、超音波診断装置においては、送信ビーム上の数十から数百点を受信ビームの焦点として、探触子に近い点から送信ビームの進行時間に応じて受信ビームの焦点を深い方向にずらし、複数の受信ビームを形成する。これはダイナミックフォーカスと呼ばれている技術である。
【０００５】
このように超音波診断装置においては、超音波の送信ビームを形成し、さらに受信ビームを形成することで、一本の走査線が出来上がる。この送受信のビームの焦点位置を徐々にずらし、生体内部の診断したい領域を走査することで超音波画像が生成される。このような超音波画像を高画質の映像とするためには、単位時間あたりの画像書き換え回数であるフレームレートを上げる必要がある。フレームレートは、画像生成の際のビーム本数と超音波ビームの送受信の深さに依存する。つまり、一般的にフレームレートを上げるためには、ビーム本数を減らして走査の時間を減らすか、ビームの焦点位置の深さを浅くして各ビームの形成に要する時間を減らせばよい。
【０００６】
しかしながら、フレームレートを上げるためにビームの焦点位置の深さを浅くすると、得られる超音波画像の領域が狭くなる。そのため、診断したい臓器がその領域からはみ出してしまう虞がある。また、ビーム本数を減らすと、得られる画像の横（幅）方向の解像
度が低下してしまう。そのため、フレームレートが高くなっても個々の断面画像の質は低下してしまう。このようにフレームレートを上げる単純な方法には様々な問題がある。
【０００７】
フレームレートを上げるための他の方法としてマルチビーム送受信という技術がある。このマルチビーム送受信に関して説明する。図２にマルチビーム送受信のビーム形成に関する概念図を示す。上述したように、各素子から送信する送信パルスの遅延時間を調整することによって送信ビームを形成することができる。また、各素子は遅延時間の異なる複数の送信パルスを同時に送信することもできる。そこで、或る方向を向くような遅延時間と、当該方向とは異なる方向を向くような遅延時間を設定する。それにより、方向の異なる複数の超音波ビーム（送信ビーム）を同時に形成することが可能となる。これがマルチビーム送信技術である。図２に示される二つの送信ビームは探触子２０から同時に送信された送信ビームを示している。
【０００８】
次に、マルチビーム受信技術に関して説明する（特許文献１参照）。通常の受信方式では送信ビームに沿った受信ビームを形成するように、受信信号の遅延時間が設定される。複数の送信ビームのそれぞれに対して受信ビームを形成するのが、マルチビーム受信である。図２の例では、二つの送信ビームに対し、それぞれ、送信ビームの真ん中に沿った二つの受信ビームが形成されている。マルチビーム受信において、超音波診断装置は、各素子で受信された信号を増幅し、メモリに蓄積する。そして、増幅された受信信号をメモリから読み出し、遅延時間を調整し、加算する。当該処理を複数回行うことで複数の受信ビームが形成される。しかしながら、このように複数の受信ビームを形成する場合、遅延時間の設定や整相加算を行う処理回路の規模が増大するという問題がある。例えば、単純にこのマルチビーム受信の回路を構成する場合、受信ビーム本数分だけの受信回路が必要となる。この問題を避けるために受信回路を複数用意するのではなく、処理速度を早くして単位時間当たりの受信ビーム本数を増やすという方法もある。しかしこの場合には受信回路を高速に動作させなければならないという別の問題がある。
【０００９】
また、マルチビーム受信を行わない場合（１本の受信ビームを形成する場合）、メモリとして、ＦＩＦＯメモリを用いることができる。しかしながら、マルチビーム受信を行う場合には、素子の受信データを蓄えているメモリから同時に異なるの遅延時間をもったデータを読み出さなければならないため単独のＦＩＦＯメモリでは実現ができない。そのためマルチビーム受信を実現するためには、メモリとして、ランダムアクセスメモリを用いるか、もしくは、ビーム数分のＦＩＦＯメモリを用いる必要がある（特許文献２参照）。そのため、回路規模の増加や高速性が制限される。
【００１０】
図３にマルチビーム受信のための受信回路の一般的な構成を示す。受信信号は３０＿１〜１２８で示されるＡ／Ｄコンバータによってディジタル信号に変換され、複数の受信素子（不図示）にそれぞれ対応する複数のランダムアクセスメモリに蓄積される。そして、蓄積されたディジタル信号（データ）は、遅延時間設定部にしたがって加算ユニットに出力される。なお、マルチビーム受信の場合には遅延時間設定部を複数有する必要がある（形成する受信ビームごとの遅延時間設定部が必要である）。即ち、蓄積された信号は、異なる遅延時間で読み出される。また、マルチビーム受信の場合には受信ビームごとの加算ユニットが必要となる。読み出された信号（遅延時間が互いに異なる信号）はそれぞれ異なる加算ユニットへ出力される。加算ユニットで加算された受信信号は信号処理部と画像処理部を経て表示装置に送られる。それにより、超音波画像が画面に表示される。マルチビーム受信の場合、信号処理部は受信ビーム毎に設けられていてもよいし、１つであってもよい。信号処理部が１つの場合には、複数の受信ビームに対し同時もしくは時分割で処理すればよい。なお、図３の例では、素子数が１２８個、加算ユニットが２つの場合を示したが、それらの数はいくつでもよい。
【００１１】
【特許文献１】特開平２−２０６４４５号公報
【特許文献２】特許第３５５９７７４号公報
【発明の開示】
【発明が解決しようとする課題】
【００１２】
上述したように超音波診断装置のフレームレートを上げるためのマルチビーム送受信技術は複数の受信ビームの処理を行うための受信回路の規模や高速性などに問題があり、簡単にビーム数を増やすことは困難であった。
【００１３】
そこで本発明は、従来のシングルビームの受信回路と同等の規模で高いフレームレートの映像を得ることのできる超音波診断装置を提供することを目的とする。
【課題を解決するための手段】
【００１４】
本発明に係る超音波診断装置は、
超音波を送信し、物体に反射された前記超音波を受信する複数の振動子と、
前記複数の振動子で受信された超音波の信号である超音波信号をそれぞれ蓄積する複数のメモリと、
受信ビームの方向に応じて遅延時間を設定する設定手段と、
前記設定手段により設定された遅延時間に従って前記複数のメモリから超音波信号を読み出し、それらを加算することにより、前記受信ビームに応じたデータを生成する生成手段と、
を有し、
１回の超音波の送受信により前記複数のメモリに蓄積された超音波信号に対して、
前記設定手段が第１の方向に応じた遅延時間を設定し、前記生成手段が前記第１の方向の受信ビームに応じたデータを生成した後に、さらに前記設定手段が前記第１の方向とは異なる第２の方向に応じた遅延時間を設定し、前記生成手段が前記第２の方向の受信ビームに応じたデータを生成する
ことを特徴とする。
【発明の効果】
【００１５】
本発明によれば、従来のシングルビームの受信回路と同等の規模で高いフレームレートの映像を得ることのできる超音波診断装置を提供することができる。
【発明を実施するための最良の形態】
【００１６】
以下、本発明を実施するための最良の形態に関して、図面を参照しながら詳細に説明する。
【００１７】
＜実施例１＞
図１は本発明の実施例１に係る超音波診断装置の受信回路の構成を示すブロック図である。超音波診断装置は、複数（本実施例では１２８個）の振動子からなる超音波探触子（不図示）を備える。複数の振動子は、それぞれ、物体（生体）に向けて超音波を送信し、生体（生体内部）で反射された超音波を受信する。複数の振動子で受信された超音波の信号である超音波信号は、それぞれ、対応する受信アンプ（不図示）によって増幅される。図１に示すＡ／Ｄコンバータ（１０＿１，１０＿２，…，１０＿１２８）は、増幅された超音波信号（アナログ信号）を、それぞれディジタル信号に変換する。ディジタル信号に変換された超音波信号は、それぞれ１１＿１，１１＿２，…，１１＿１２８のマルチプレクサ（Ｍｕｘ）を通してＦＩＦＯメモリ（１２＿１，１２＿２，…，１２＿１２８）に蓄積される（以下、蓄積された超音波信号を受信データと呼ぶ）。超音波の受信は、超音波の発信直後から、システムによって定義された時間まで行われる。この時間を長くすればするほど、生体内のより深い位置で反射された超音波を受信することができる。すなわち
、ＦＩＦＯメモリには、上記時間に応じた深さで反射された超音波信号が蓄積される。マルチプレクサ（１１＿１，１１＿２，…，１１＿１２８）は、超音波探触子が超音波を受信している間、Ａ／Ｄコンバータ（ＡＤＣ）の出力をＦＩＦＯメモリの入力として選択する。
【００１８】
ＦＩＦＯメモリに蓄積された受信データは、遅延時間設定部１８からの制御信号に従って乗算器（１３＿１，１３＿２，…１３＿１２８）の入力へと読み出される。遅延時間設定部１８は、超音波信号を受信している間、受信ビームの方向に応じて遅延時間を設定する。具体的には、遅延時間設定部１８は、マルチビーム制御部１７により、受信ビームの方向が指示され、当該方向に応じた遅延時間を設定する。本実施例では、先ず、受信ビーム１の方向（第１の方向）に応じた遅延時間が設定される。このとき、アポダイゼーション係数生成部１９も、マルチビーム制御部１７により受信ビームの方向が指示され、当該受信ビームの方向に応じた処理を行う。受信データは、乗算器（１３＿１，１３＿２，…，１３＿１２８）にて、アポダイゼーション係数生成部１９から出力される係数と乗算された後、加算器１４に入力される。加算器１４において、複数のメモリから読み出された超音波信号（本実施例ではアポダイゼーション係数と乗算された信号）が加算されることにより、上記受信ビームに応じたデータが生成される。従って、本実施例では、先ず、受信ビーム１に応じたデータが生成される。さらに加算器１４からのデータ（受信ビーム１に応じたデータ）は信号・画像処理部１５へと入力される。信号・画像処理部１５では、入力信号に検波、対数圧縮、座標変換、ノイズ低減などの処理を行うことにより、入力信号（受信ビーム１に応じたデータ）に基づいた画像が生成される。生成された画像は、不図示の画像メモリに記憶される。そして、表示装置１６に当該画像（生体内部の画像；エコー画像；超音波画像）が表示される。
【００１９】
本実施例に係る超音波診断装置の受信回路では、１回の超音波の送受信により複数のメモリに蓄積された超音波信号に対して、複数方向の受信ビームに応じたデータを生成する。具体的には、遅延時間設定部１８により、上記第１の方向に応じた遅延時間が設定され、加算器１４により、第１の方向の受信ビームに応じたデータが生成される。その後、さらに遅延時間設定部１８により、第１の方向とは異なる第２の方向に応じた遅延時間が設定され、加算器１４により、第２の方向の受信ビーム（受信ビーム２）に応じたデータが生成される。このとき、信号・画像処理部１５は、マルチビーム制御部１７からの指示を受け、受信ビーム２に応じたデータを、受信ビーム１に応じたデータに上書きしないように記憶する。
【００２０】
ＦＩＦＯメモリでは、一度読み出したデータは該メモリ内から消去される。そこで、本実施例では、複数のメモリへの超音波信号の蓄積が終了した後に、該複数のメモリから読み出した超音波信号が、第１の方向の受信ビームに応じたデータの生成に用いられるとともに、それぞれのメモリへ再度入力される。具体的には、該超音波信号は、マルチプレクサ（１１＿１，１１＿２，…，１１＿１２８）へ再度入力される。再度入力された超音波信号は、第２の方向の受信ビーム（受信ビーム２）に応じたデータの生成に用いるために用いられる。それにより、１回の超音波の送受信により複数のメモリに蓄積された超音波信号に対して、複数方向の受信ビームに応じたデータを生成することが可能となる。なお、受信ビーム２に応じたデータを生成するための超音波信号を読み出すと同時に、同該超音波信号を再度メモリへループバックし、第３の方向の受信ビーム３に応じたデータを生成してもよい。また、再度超音波信号の送受信を行い、当該送受信によってメモリに蓄積される超音波信号を用いて受信ビームに応じたデータを生成してもよい。
【００２１】
なお、受信ビーム２に応じたデータを生成するための超音波信号は、受信ビーム１に応じたデータ生成するための超音波信号も少なくなるため、受信ビーム２のビーム長は受信ビーム１より短くなる。そのため、より多くの超音波信号がメモリへループバックされる
ことが好ましい。具体的には、受信ビーム１に応じたデータを生成するためにＦＩＦＯメモリからデータを読み出す際に、各ＦＩＦＯメモリの空きメモリ数をモニタし、空きメモリ数の最小値をとりだす。そして、この空きメモリの最小値が、超音波信号の受信クロック数の残りと同じになった時点で、一時的にメモリからの超音波信号の読み出しを中断する。こうすることで受信が終了するまでＦＩＦＯメモリから超音波信号を読み出さなくなる。つまり、超音波信号の受信が終了した時点で、ＦＩＦＯメモリには最大限（ひとつ以上のＦＩＦＯメモリがちょうどＦＵＬＬな状態）に超音波信号が蓄積される。こうすることで受信ビーム２のビーム長をできるだけ長くすることが可能となる。
【００２２】
以上の説明から自明なように、本発明のマルチビーム受信処理装置では、図２のように同じ長さの複数の受信ビームに応じたデータが生成されるわけではない。図４に本発明で生成されるデータに対応する受信ビームの概念図を示す。このように、本発明では、受信ビーム２や、その後（同じ超音波信号を用いて）生成されたデータに対応する受信ビームのビーム長（２本目以降の受信ビームのビーム長）は、受信ビーム１に比べて短い。さらに、受信ビーム２などは、探触子から遠い位置（即ち、生体内の深い位置）に位置する。なお、２本目以降の受信ビームのビーム長は、受信回路に用意されているＦＩＦＯメモリの長さ（容量）に依存する。即ち、遅延量を見込み量、送信ビームと受信ビームの間の角度に依存する。一般的に４５度まで見込むとすると、探触子の想定最大横幅×√２のビーム長が得られる。送受信ビームをセクタ表示した場合、探触子から遠い（深い）位置のビーム密度は、探触子から近い位置に比べ疎になるため、本発明によって得られる２本目以降の受信ビームに応じたデータは有用なデータとなる。
【００２３】
また、２本目以降の受信ビームはその前の受信ビームに対してあまり角度を有しないことが好ましい。互いの角度が小さい２本の受信ビームでは、振動子ごとの遅延量があまり変化しないため、そのようにすることにより、解像度を落とさずにフレームレートを上げることができる。
【００２４】
＜実施例２＞
次に、本発明の実施例２に係る超音波診断装置について説明する。図５は本発明の実施例２に係る超音波診断装置の受信回路の構成を示すブロック図である。実施例２においては、実施例１でＦＩＦＯメモリにより構成していた遅延メモリをランダムアクセスメモリ（ＲＡＭ）にて構成した。遅延メモリをＦＩＦＯメモリで構成した実施例１では、受信ビーム１に応じたデータを生成するための受信データの読み出しにおいて、ＦＩＦＯメモリの空きメモリ数をモニタするという特殊な制御を必要とした。本実施例では、ランダムアクセスメモリを用いるため、上述したような特殊な制御を必要としない。また、実施例１で必要であったマルチプレクサや、ＦＩＦＯメモリのループバック配線も必要ない。
【００２５】
以下、図５を用いて本実施例に係る超音波診断装置の受信回路の構成について詳細に説明する。図５に示すＡ／Ｄコンバータ（５０＿１，５０＿２，…，５０＿１２８）は、図１と同様に、不図示の受信アンプによって増幅された超音波信号（アナログ信号）を、それぞれディジタル信号に変換する。ディジタル信号に変換された超音波信号は、それぞれランダムアクセスメモリ（５１＿１，５１＿２，…，５１＿１２８）に蓄積される。本実施例では、生体内の所定の深さで反射された超音波信号がランダムアクセスメモリに蓄積される。
【００２６】
ランダムアクセスメモリに蓄積された受信データは、遅延時間設定部５７からの制御信号に従って乗算器（５２＿１，５２＿２，…，５２＿１２８）の入力へと読み出される。遅延時間設定部５７は、超音波信号を受信している間、受信ビームの方向に応じて遅延時間を設定する。具体的には、遅延時間設定部１８は、マルチビーム制御部１７により、受信ビームの方向が指示され、当該方向に応じた遅延時間を設定する。本実施例では、先ず
、受信ビーム１の方向に応じた遅延時間が設定される。このとき、アポダイゼーション係数生成部５８も、マルチビーム制御部１７により受信ビームの方向が指示され、当該受信ビームの方向に応じた処理を行う。受信データは、乗算器（５２＿１，５２＿２，…，５２＿１２８）にて、アポダイゼーション係数生成部５８から出力される係数と乗算された後、加算器５３に入力される。加算器５３において、複数のメモリから読み出された超音波信号（本実施例ではアポダイゼーション係数と乗算された信号）が加算されることにより、上記受信ビームに応じたデータが生成される。さらに加算器５３からのデータ（受信ビーム１に応じたデータ）は信号・画像処理部５４へと入力される。信号・画像処理部５４では、入力信号に検波、対数圧縮、座標変換、ノイズ低減などの処理を行うことにより、入力信号（受信ビーム１に応じたデータ）に基づいた画像が生成される。生成された画像は、不図示の画像メモリに記憶される。そして表示装置５５に当該画像（生体内部の画像；エコー画像；超音波画像）が表示される。即ち、ここまでは実施例１とほぼ同じ動作が行われる。
【００２７】
実施例２に係る超音波診断装置の受信回路では、ランダムアクセスメモリを用いているため、実施例１のようにＦＩＦＯメモリに蓄積された超音波信号をループバックさせる必要はない。なぜなら、ランダムアクセスメモリは、本実施例の場合、リングバッファとして用いられるため、Ａ／Ｄコンバータから信号データがやってこない場合には上書きされないからである。つまり受信ビーム１に応じたデータを生成するためにメモリからデータを読み出したとしても、読み出されたデータはメモリから消去されない。よって本実施例の場合には、受信ビーム１に応じたデータを生成するための超音波信号の読み出しが終了した後、直ちに受信ビーム２に応じたデータを生成するための超音波信号の読み出しを行うことができる。このとき、マルチビーム制御部５６は、受信ビーム２の方向を遅延時間設定部５７、アポダイゼーション係数生成部５８、信号・画像処理部５４などに指示する。
【００２８】
このように遅延メモリへの超音波信号の書き込みや遅延メモリからの超音波信号の読み出し方式が異なるだけで、実施例１と実施例２ではほとんど同じ動作をする。
【００２９】
以上述べたように、本発明によれば、従来のシングルビームの受信回路と同等の規模で高いフレームレートの映像を得ることのできる超音波診断装置を提供することができる。
【００３０】
なお、実施例１，２において、遅延時間設定部は、複数の振動子から送信される超音波によって形成される送信ビームより多くの受信ビームの方向に応じた遅延時間を設定してもよいし、そうでなくてもよい。複数の振動子は、同時に複数の送信ビームを形成するように超音波を送信してもよい。そして、遅延時間設定部は、該複数の送信ビームに対応する複数の受信ビームの方向に応じた遅延時間を設定してもよい。例えば、送信ビーム１，２を形成するように超音波信号を送信し、当該送信によって受信された超音波信号に対して、送信ビーム１と同一方向の受信ビーム１に応じたデータを生成した後に、送信ビーム２と同一方向の受信ビーム２に応じたデータを生成してもよい。送信ビーム対応した受信ビームを形成することにより、送信ビーム１本に対して複数の受信ビームを形成する場合よりも、解像度を向上することができる。
【００３１】
＜変形例＞
また、本実施形態に係る超音波診断装置が、マルチビーム制御部、アポダイゼーション係数生成部、乗算器、加算器、および、信号・画像処理部の組み合わせを複数備えてもよい。そして、当該複数の組み合わせは、それぞれ異なる方向の受信ビームに基づいた画像を形成すればよい。それにより、一度に多くの受信ビームを形成する（受信ビームに応じたデータを生成する）ことが可能となる。なお、遅延メモリがＦＩＦＯメモリで構成されている場合には、受信ビームの本数に対応する数のメモリが必要になることはいうまでも
無い。
【００３２】
また、遅延メモリ、マルチビーム制御部、アポダイゼーション係数生成部、乗算器、加算器、信号・画像処理部などの動作速度を、１回の超音波の送受信の間に受信ビームに応じたデータの生成が複数回行える程度に、早くしてもよい。それにより、所定時間内により多くの受信ビームを形成することが可能となる。
【００３３】
即ち、以上述べた構成とすることにより、回路構成の規模が大きくなってしまうものの、従来に比べフレームレートを大幅に上げることができる。
【図面の簡単な説明】
【００３４】
【図１】図１は、本発明の実施例１に係る超音波診断装置の受信回路の構成を示すブロック図である。
【図２】図２は、マルチビーム送受信のビーム形成に関する概念図を示す。
【図３】図３は、マルチビーム受信のための超音波診断装置の一般的な構成を示すブロック図である。
【図４】図４は、本発明で生成されるデータに対応する受信ビームの概念図である。
【図５】図５は、本発明の実施例２に係る超音波診断装置の受信回路の構成を示すブロック図である。
【符号の説明】
【００３５】
１０＿１〜１２８，３０＿１〜１２８，５０＿１〜１２８  Ａ／Ｄコンバータ
１１＿１〜１２８，３１＿１〜１２８  マルチプレクサ
１２＿１〜１２８  ＦＩＦＯメモリ
１３＿１〜１２８，３２＿１〜１２８，５２＿１〜１２８  乗算器
１４，３３，５３  加算ユニット
１５，３４，５４  信号・画像処理部
１６，３５，５５  表示装置
１７，５６  マルチビーム制御部
１８，３６，５７  遅延時間設定部
１９，３７，５８  アポダイゼーション係数生成部
２０，４０  探触子
３１＿１〜１２８，５１＿１〜１２８  ランダムアクセスメモリ
【図１】
2010099110.tif 000003
【図２】
2010099110.tif 000004
【図３】
2010099110.tif 000005
【図４】
2010099110.tif 000006
【図５】
2010099110.tif 000007